(57)【特許請求の範囲】
【請求項１】
ディスクからピックアップ手段により読み出した読取信号を記憶手段に一時的に記憶しつつ、これより読み出すことにより前記読取信号に基づく再生信号を再生する情報再生方法において、
前記記憶手段の記憶量が一方のレベルに達した後に前記読取信号の前記記憶手段への書き込みを停止した状態で、前記記憶手段から読み出すことにより前記読取信号に基づく再生信号を再生しつつ、
前記ディスクの次に再生すべき読取信号を読み出して、その読取エラー状態を記憶し、
前記記憶手段の記憶量が前記一方のレベルより低い他方のレベルに達した後に、前記記憶した読取エラー状態に対応して、
前記ディスクの前記次に再生すべき読取信号を読み出して前記記憶手段へ書き込むことを特徴とする情報再生方法。
【請求項２】
ディスクから情報を読み取るピックアップ手段と、この読取信号を一時的に記憶する記憶手段と、この記憶手段から読み出してエラー訂正した前記読取信号に基づく再生信号を形成する再生手段と、前記読取信号に基づいて前記ピックアップ手段のフォーカシングとトラッキングを制御するフォーカス・トラッキング制御手段とを有する情報再生装置において、
前記読取信号の読取エラー状態を判別してこのエラー判別結果を記憶するエラー状態記憶手段を有し、前記記憶手段の記憶量が一方のレベルに達した後に前記ピックアップ手段のトラッキングを制御して前記ディスクの次に再生すべきトラックからの情報を読み出しつつ読み出した情報は記憶しないでその読取エラー状態を判別してこのエラー判別結果を前記エラー状態記憶手段に記憶し、前記記憶手段の記憶量が前記一方のレベルより低い他方のレベルに達した後に、前記エラー状態記憶手段に記憶したエラー判別結果を参照しつつ前記ディスクの前記次に再生すべきトラックからの情報の読み取りを行なうようにしたことを特徴とする情報再生装置。
【発明の詳細な説明】
【０００１】
【発明の属する技術分野】
本発明は、ＭＤ（Ｍｉｎｉ  Ｄｉｓｃ）、ビデオＣＤ（Ｃｏｍｐａｃｔ  Ｄｉｓｃ）やＤＶＤ（Ｄｉｇｉｔａｌ  Ｖａｒｓａｔｉｌｅ  Ｄｉｓｃ）、ＤＶＤ−ＲＯＭ、ＭＯ等に記録された情報の再生時にデータエラーが発生した時にリトライ回数を削減できる情報再生方法及びその装置に関する。
【０００２】
【従来の技術】
従来のＣＤプレーヤ等においては、ディスクに記録されているデータがデータエラーを起こすと音声にミューティングをかけるなどして聴感上のノイズを軽減する保護を行なっていたが、ＣＤ−ＲＯＭやＤＶＤ−ＲＯＭや画像情報を持つビデオＣＤやＤＶＤでは、画質の問題を補正することは困難であり、そのため最大限リトライを行なって正しいデータを再生することが望まれている。
そこで、例えばＭＤにおいては、約１０秒間に相当する４ＭＢのショックプルーフメモリーにてデータを一時記憶することを利用し、このバッファ機能を有するメモリーにデータが記憶されている間に、再生のリトライを行なうようになっている。
【０００３】
例えば図５はＤＶＤディスク内でのトラック及びセクターの状態を概略的に示す図であり、トラックが螺旋状或いは同心円状に形成されている。このディスクはＣＬＶ（Ｃｏｎｓｔａｎｔ  Ｌｉｎｅａｒ  Ｖｅｌｏｃｉｔｙ）の場合を示し、ＣＬＶでは、線速度が一定であり、エリアＡ内周で例えば４セクターブロック（１ブロックが４セクターとする）、エリアＢ外周で例えば８セクターブロック（１ブロックが８セクターとする）程度である。尚、実際のＤＶＤでは１ブロックが１６セクターである。また、回転周期も、エリアＡ内周で４０ｍｓｅｃ、エリアＢ外周で８０ｍｓｅｃ程度である。
【０００４】
従来方法では、ある程度一時記憶メモリーにデータが貯まっている状態で、読み取りエラーが発生した場合に、例えば、図６にて示すように、セクターＳ０、セクターＳ１、セクターＳ２、セクターＳ３の順に読み取っていって、セクターＳ４のセクターブロックを再生しようとして、先頭のセクターのアドレスが読めなかった場合（ｔ１）、または読み取ったデータにエラーがあった場合、ｔ２のタイミングにてＳ０のセクターに１トラックキックして、再度セクターＳ４の回転待ちを行ない、再度読み出しを行なう。
【０００５】
【発明が解決しようとする課題】
しかしながら、この方法は、記録密度や転送速度がそれ程速くない記憶媒体に対しては有効であったが、例えばＤＶＤのように記録密度や転送速度が高い場合には有効には作用しなかった。例えばＤＶＤプレーヤーにおいては同様に、４ＭＢのメモリーを持っていても、可変転送レートであるため、また転送速度が速いため、０．５秒程度の記憶時間しかない。このような状態で、ＭＤと同様にリトライを行なうと、一時記憶の時間を浪費することで返ってプレーヤビリティを低下させる結果となることがある。
本発明は、以上のような問題点に着目し、これを有効に解決すべく創案されたものであり、その目的は、情報の先読みを行なってエラー状態を予め認識することによってデータのエラーを低減することができる情報再生方法及びその装置を提供することにある。
【０００６】
【課題を解決するための手段】
本発明方法は、上記問題点を解決するために、ディスクからピックアップ手段により読み出した読取信号を記憶手段に一時的に記憶しつつ、これより読み出すことにより前記読取信号に基づく再生信号を再生する情報再生方法において、前記記憶手段の記憶量が一方のレベルに達した後に前記読取信号の前記記憶手段への書き込みを停止した状態で、前記記憶手段から読み出すことにより前記読取信号に基づく再生信号を再生しつつ、前記ディスクの次に再生すべき読取信号を読み出して、その読取エラー状態を記憶し、前記記憶手段の記憶量が前記一方のレベルより低い他方のレベルに達した後に、前記記憶した読取エラー状態に対応して、前記ディスクの前記次に再生すべき読取信号を読み出して前記記憶手段へ書き込むようにしたものである。
【０００７】
本発明は、上記方法発明を実施するために、ディスクから情報を読み取るピックアップ手段と、この読取信号を一時的に記憶する記憶手段と、この記憶手段から読み出してエラー訂正した前記読取信号に基づく再生信号を形成する再生手段と、前記読取信号に基づいて前記ピックアップ手段のフォーカシングとトラッキングを制御するフォーカス・トラッキング制御手段とを有する情報再生装置において、前記読取信号の読取エラー状態を判別してこのエラー判別結果を記憶するエラー状態記憶手段を有し、前記記憶手段の記憶量が一方のレベルに達した後に前記ピックアップ手段のトラッキングを制御して前記ディスクの次に再生すべきトラックからの情報を読み出しつつ読み出した情報は記憶しないでその読取エラー状態を判別してこのエラー判別結果を前記エラー状態記憶手段に記憶し、前記記憶手段の記憶量が前記一方のレベルより低い他方のレベルに達した後に、前記エラー状態記憶手段に記憶したエラー判別結果を参照しつつ前記ディスクの前記次に再生すべきトラックからの情報の読み取りを行なうようにしたものである。
【０００８】
これにより、ピックアップ手段にて読み取られた読取信号は例えばＡ／Ｄ変換手段にて読取デジタル信号へ変換され、この信号は例えばエラー判別手段にてエラー状態が判別されてこれに基づいて例えばエラー訂正手段は読取デジタル信号を訂正して訂正デジタル信号を出力する。この信号はバッファ機能を有するデータ記憶手段へ一時的に記憶されつつこれより読み出されて再生手段にてデコードされ、再生信号として、例えば音声信号や映像信号として出力されることになる。
ここで、上記データ記憶手段に関しては、従来においては、記憶量が多くなって例えば一定のレベルである上限値になると書き込みを停止し、記憶量が少なくなって先のレベルよりも低い一定のレベルである下限値になると再度書き込みを行なっており、この間、ピックアップ手段からの読取情報は何らコントロールされていなかったが、本発明では、記憶量が多くなって例えば上限値（一定のレベル）になると書き込みを停止する点は同じであるが、この状態で次に読み出すべきトラックから情報を読み出してこの情報に対して上述したと同様にエラー判別を行なう。
【０００９】
そして、このエラー状態をエラー結果記憶手段に記憶させておき、次に、データ記憶手段の記憶量が少なくなった時に先の次に読み出すべきトラックへキックして移動し、情報を再生する時に上記したように記憶されたエラー判別結果に対応させて情報の再生を行なう。具体的には、エラー判別結果が再生可能を示している時には、そのエラー判別結果に対応させて再生時のパラメータ、例えばトラッキングゲインやオフセット電圧等を変更して再生を行なう。また、エラー判別結果が再生不可能を示している時には、当該セクターを飛び越して次のセクターへ移って再生を行なう。これにより、再生時のデータのエラーを低減して再生の倍再生を向上させることが可能となる。
【００１０】
【発明の実施の形態】
以下に、本発明に係る情報再生方法及びその装置の一実施例を添付図面に基づいて詳述する。
図１は本発明の情報再生装置を示すブロック構成図、図２は本発明装置が光ディスクから情報を読み取る時のトラッキング状態の一例を概念的に示す図、図３はデータ記憶手段の記憶量の変化を示す図である。
図１に示すように、１は光ディスクＤを回転させるスピンドルモータであり、この光ディスクＤのトラックからは光学的なピックアップ手段２により情報を読み取るようになっている。このピックアップ手段２からの読取信号の一部は、フォーカス・トラッキング制御手段３へ供給され、この信号を処理した後に制御信号がピックアップ手段２へ送られ、トラッキング制御やフォーカシング制御を適正に行なうようになっている。また、この制御手段３は、上記スピンドルモータ１の回転数も例えばＣＬＶになるように制御する。
【００１１】
４はピックアップ手段２からの読取信号ＳＧ１をＡ／Ｄ変換するＡ／Ｄ変換手段であり、読取デジタル信号ＳＧ２を出力する。５はデコーダであり、例えばＥＦＭ（Ｅｉｇｈｔ  ｔｏ  Ｆｏｕｒｔｅｅｎ  Ｍｏｄｕｌａｔｉｏｎ）の変調方式による読取デジタル信号を例えばＮＲＺ（Ｎｏｎ  Ｒｅｔｕｒｎ  ｔｏ  Ｚｅｒｏ）データにデコードする。
６はデコード後の読取デジタル信号ＳＧ３のエラーを判別するエラー判別手段であり、７はこのエラー判別手段６の判別結果に基づいて上記デコード後の読取デジタル信号ＳＧ３を訂正するエラー訂正手段であり、訂正後に訂正デジタル信号ＳＧ４を出力する。ここでの符号誤り訂正方式は、例えばＣＩＲＣ（Ｃｒｏｓｓ  Ｉｎｔｅｒｌｅａｖｅ  Ｒｅａｄ−ｓｏｌｏｍｏｎ  Ｃｏｄｅ）で行なわれ、訂正処理後にセクターのアドレス信号とデータ信号が訂正デジタル信号ＳＧ４として得られる。８はバッファ機能を有する記憶手段としてのデータ記憶手段であり、例えば４Ｍビット程度のＤＲＡＭにより構成されて、訂正デジタル信号ＳＧ４を一時的に記憶する。上記訂正デジタル信号ＳＧ４は可変転送レートで圧縮された信号であるので、このバッファ機能を有するデータ記憶手段８により可変転送レートの時間軸の吸収を行なう。
【００１２】
９は、例えばＡ−Ｖデコーダよりなる再生手段であり、データ記憶手段８から送られてくる訂正デジタル信号ＳＧ５を伸長し、例えばＡ信号（音声信号）とＶ信号（映像信号）に分離された再生信号ＳＧ６を出力する。この再生信号ＳＧ６は、例えば図示されないＤ／Ａコンバータにより音声信号と映像信号して出力されることになる。１０は本発明の特徴とするエラー状態記憶手段であり、これは例えばＤＲＡＭよりなり、上記エラー判別手段６におけるエラー判別結果を記憶する。エラー判別結果は、通常の情報読み取り時には行なわず、読み取り情報をデータ記憶手段８に書き込まない、いわゆる後述する先読み時のエラー判別結果のみを記憶する。１１は制御手段であり、この装置全体の動作を制御する。特に、先読みしたセクターを本読み（読み取った情報をデータ記憶手段８に記憶する場合）する時に、上記エラー状態記憶手段１０に記憶したエラー判別結果を参照しつつ読取を行なうように制御する。
【００１３】
次に、以上のように構成された装置を用いて行なわれる本発明方法について説明する。
まず、回転する光ディスクＤのトラックに記録されている情報はセクター毎にピックアップ手段２により読み取られ、読取信号ＳＧ１として出力される。この読取信号ＳＧ１の一部は、フォーカス・トラッキング制御手段３へ入力されて、ピックアップ手段２のフォーカシング及びトラッキングを制御する。
ピックアップ手段２により出力された読取信号ＳＧ１は、Ａ／Ｄ変換手段４にて読取デジタル信号ＳＧ２へ変換された後、更にデコーダ５にて例えばＮＲＺデータＳＧ３へ変換される。このＮＲＺデータＳＧ３は、エラー判別手段６によって符号のエラーが判別され、この結果に基づいてエラー訂正手段７ではＮＲＺデータＳＧ３に対してエラー処理を施して、訂正デジタル信号ＳＧ４を出力する。この訂正デジタル信号ＳＧ４は可変転送レートで圧縮された信号であるので、バッファ機能を有するデータ記憶手段８に一時的に記憶され、これより徐々に読み出した訂正デジタル信号ＳＧ５を再生手段９にてデコードして伸長し、再生信号ＳＧ６を出力する。
【００１４】
さて、このような一般的な再生工程において、本発明方法においては、バッファ機能を有するデータ記憶手段８の記憶量が多くなると例えば上限値（一定のレベル）に達したならば、次に読み取るべきセクターの情報を読み取ってこれをデータ記憶手段８へ記録させることなくこのデータのエラー状態を判別する先読み処理を行なう。すなわち、従来の再生方法では、データ記憶手段８の記憶量が多くなると、例えば上限値になったならば、この記憶内容が順次読み出されて少なくなるまで、例えば下限値（上限値よりも少ない一定のレベル）になるまで、いわゆる遊び状態であったが、本発明方法ではこの遊び状態の間に情報を先読みしてデータのエラー状態を把握し（読み取ったデータはここでは記憶しない）、本読み時にこのエラー判別結果を参照しながら各種のパラメータ等を変更するなどして情報の読み取りを行なうようになっている。すなわち、先読み時の読取情報のエラー状態はエラー状態記憶手段１０に記憶されており、本読み時に制御手段１１は、このエラー判別結果を参照して読み取りを行なう。
【００１５】
この時の動作をトラックのセクターを含めて説明すると、例えば図６の従来方法に対して、図２に示す本発明方法においてはセクターＳ０から始まって、セクターＳ３のセクターブロックまで情報を読み取ってエラー訂正した後、一時的にデータ記憶手段８に記憶し、記憶手段８の記憶量が所定値（上限値）に達した状態で、従来方法であれば、図６に示すようにセクターＳ４の領域で、セクターＳ０にキックして回転待ちをするのに対して、図２に示す本発明方法では、セクターＳ４以降の情報をそのまま読み取って一時記憶は行なわない状態で、エラー判別を行ない、エラーが発生したか否かを検出する。いわゆるこの操作が先読みであり、この間に記憶量が下限値になった場合には、前記の次の再生セクターであるセクターＳ４が読める位置にキックして、通常再生にし、いわゆる本読みを行なう。
【００１６】
この間、先読みセクターの情報を再生中にエラーが発生しなければ、そのまま通常再生を行なうし、先読み中にエラーが発生していた場合には、訂正可能の範囲か、不可能かの判定を行ない、可能であると判定した場合には、そのままか或いは何らかのパラメータを変更して本読み時にセクターを再生する。不可能と判断した場合はそのセクターブロックを飛び越して次のセクターから再生する。
以下、この点について詳しく説明する。
図３はデータ記憶手段の記憶量の変化を示しており、例えば４Ｍビットの容量を有し、上限値と下限値はそれぞれある程度の余裕を持たせて設定されている。尚、下限値の管理は、時間管理により置き換えてもよい。
【００１７】
このバッファ機能を有するデータ記憶手段８の容量は、４ＭＢ程度であり、この記憶手段８には、ＤＶＤの場合には５００ｍｓｅｃ程度の時間の情報を記憶している。従って、トラック一周が８０ｍｓｅｃとしても、６周分程度の余裕がある。
このデータ記憶手段８にはピックアップ手段２により光ディスクＤの所定位置から再生開始した時点で、トラッキング、フォーカスのエラーの監視や信号処理上のエラー処理を行なった後、書き込みを開始し、下限値を越えた時点にて、Ａ−Ｖデコーダである再生手段９への再生を開始し、上限値になる時点まで、すなわちａ１の区間では、ピックアップ手段２よりの読取信号を書き込む。記憶量が上限値になったら、ｂ１の区間に入り、エラー処理を行ないながら、データ記憶手段８への書き込みを禁止して、再生手段９へのデコーダ送出により記憶量が下限値になるまで先読みを行なう。この先読みでは、そのまま次のトラックの読み取りを行なって、トラッキング、フォーカスのエラーの監視や信号処理上のエラー処理を行ない、エラーが発生した場合にこの状態をエラー記憶手段１０に記憶する。
【００１８】
次に、記憶量が下限値になってａ２の区間に入ると、トラックキックによって再生すべきセクターに戻り、このエラー状態が訂正可能の範囲か、不可能かの判定を行ない、可能であると判定した場合には、そのままか何らかのパラメータを変更して再度セクターを再生する。不可能と判断した場合はそのセクターブロックを飛び越して次のセクターから再生する。以降は、同様な操作を繰り返し行なって行く。
この判定には、（１）セクターアドレスの連続性、（２）Ｃ１、Ｃ２のエラー数、（３）Ｃ１、Ｃ２エラーの連続性、時間、（４）フォーカス、トラッキング、スピンドルサーボ状態を加味して総合的に判定する。例えば、判別結果が良い場合、上記（４）がオン状態で、上記（１）が別の領域で連続性がある場合、外部の衝撃によって、トラックを飛んだものと判断し、本読みでは再度この領域を通常再生する。このように衝撃と判断した場合には、データ記憶手段８に読み取り情報を書き込む通常再生（本読み）の再生時に例えばフォーカス、トラッキングのサーボゲインを上げて再生する。この再生が成功した場合には、元のサーボゲイン状態に戻す。
【００１９】
また、判別結果が悪い場合、例えば上記（４）がオン状態で、上記（１）が連続性があり、上記（２），（３）のエラー状態が所定のしきい値を上回った場合は、本読み時にはエラーしたセクターブロックをジャンプして、次のトラックから再生する。その間のデータを補間するなどの信号処理を信号処理系で行なう。
また、他の態様としては例えば、急激な温度の昇降温等の理由により、トラッキングやフォーカシングにオフセットが生じた場合には、本読み時にはトラックオフセット電圧やフォーカスオフセット電圧を対応させて変更する。更には、読取信号のＣ／Ｎが劣化してきたような場合には、本読み時に読取用のレーザパワーを上げたりすればよい。
ここで、先読み再生時間について検討すると、この先読み処理は、データ記憶手段８からのデータ送出時間と現在のトラックにおける回転待ち時間で決まり、一般式では次のようになる。
【００２０】
0003814996.tif 000002
ここで、現在のトラックでの回転待ち時間は、例えば、現在のセクターアドレスに、アドレス対応した回転時間テーブルを用意しておき、アドレスに応じて回転時間を参照することにより得ることができる。
ＣＬＶの場合より一般的には、所定のアドレス間をアドレスサーチする場合に、アドレス間の差をトラックの本数に変換する変換テーブルもしくは変換式を持っているので、これを応用することにより簡単に求めることができる。ここで補正テーブル係数は、ディスクの半径と、スタートアドレスとトラックピッチの関係式として定義することができる。
【００２１】
本実施例の場合、エリアＡ（図５参照）では、回転待ち時間が３０ｍｓｅｃ  でその他セクター検出、キック時間が１０ｍｓｅｃとして、データ記憶手段の時間的余裕は５００ｍｓｅｃに対して余裕をみて３００ｍｓｅｃとすると、
９＋２０／３０＝（３００−１０）／３０
となり、９トラック分の先読み再生が可能である。
実際のＤＶＤでは、訂正の単位の１セクターブロックが２４ｍｓｅｃ程度であるから、１２セクターブロック程度の先読みになる。
【００２２】
次に、エリアＢ（図５参照）では、回転待ち時間が８０ｍｓｅｃでその他セクター検出、キック時間が１０ｍｓｅｃとして、データ記憶手段の時間的余裕は５００ｍｓｅｃに対して余裕をみて３００ｍｓｅｃとすると、
３＋５０／８０＝（３００−１０）／８０
となり、３トラック分の先読み再生が可能である。
実際のＤＶＤでは、訂正の単位の１セクターブロックが２４ｍｓｅｃ程度であるから、１０セクターブロック程度の先読みになる。
【００２３】
このように、従来の方法では、一時記憶メモリ（データ記憶手段）のデータ記憶量が最大（上限値）になった時点で、通常１本前のトラックにキックして、次に再生すべきセクターを待っていたが、本発明方法では、最大（上限値）になった時点にて、例えば下限値になる前まで、次に再生すべき目的のセクターを一時記憶メモリには書き込まないが読み出し、セクターのアドレスが読み出せるか否か、データに訂正不能のエラーが有るか否か、サーボ系にデイフェクトなどのエラー信号が異常で有るか否かなどの検出を先に行ない、そのエラー判別結果を記憶しておく。そして、記憶量が例えば下限値になると先の読み出すべきセクターに再度キックして戻って、先のエラー状態に対応してデータを読み取って一時記憶メモリに格納する。
【００２４】
これにより、先読みを行なうことができるので、リトライを行なうことなく、または、リトライの回数を削減することができ、予め分かっているエラーに対する対応も行なうことができ、従って、データのエラーを低減することができるのみならず、プレーヤビリティを最も良くすることができる。
【００２５】
以上の本発明方法を図４に示すフローチャートを参照して総括的に説明する。
まず、光ディスクの再生処理を開始すると（ステップ１）、ピックアップ手段２が所定のトラックの所定のセクターにアクセスに行き（ステップ２）、情報を読み取ると共にそのデータのエラー訂正を開始する（ステップ３）。
そして、エラーが訂正された訂正デジタル信号を、次に、バッファ機能を有するデータ記憶手段８に一時的に記憶させる（ステップ４）。この記憶手段８における記憶量が増加して下限値になると（ステップ５）、次に、記憶データの読み出しを開始して、読み出したデータを再生手段９にてデコードし、再生信号の形成を開始する（ステップ６）。この間にも、データ記憶手段８へはデータが書き込まれており、この記憶量が上限値に達すると（ステップ７）、データ記憶手段９へのデータの書き込みを停止し（ステップ９）、引き続いて情報の先読みを開始する（ステップ１０）。
【００２６】
この先読み処理では、まず、先の一般式で求めた先読み再生トラック本数等を求めることにより先読み終了トラックを計算し（ステップ１１）、ピックアップ手段２により読み取られたデータに対してエラー訂正処理を行なってこの時のエラー判別手段の判別結果をエラー状態記憶手段１０に記憶させておく（ステップ１２）。この動作を例えば先読み終了トラックに達するまで、或いはデータ記憶手段８の記憶量が下限値に達するまで行なう（ステップ１３）。そして、先読み終了トラックに達したり、或いは記憶量が下限値に達したならば、ピックアップ手段２を先読み開始セクターへキック移動し、再度、本読みを開始する（ステップ１４）。この際、上記エラー状態記憶手段１０に記憶した判別結果を参照しつつ各セクターを再生して行き、例えば判別結果が再生可能状態でもエラーがランダムに出ているような状態を示している場合には、そのセクターに関してはサーボゲインを上げた状態で再生を行ない、また、判別結果が再生不可能状態を示している場合には、そのセクターを再生することなく飛び越して次のセクターに移るようにする。このようにして、再度、ステップ４へ戻る。
【００２７】
また、ステップ９においてデータ記憶手段１８の記憶量が上限値でない場合には、読み取り情報が終了したか否かを判断し（ステップ８）、情報が終了した時には、データ記憶手段１８の記憶内容を全て出力した後に、動作を終了することになる。
尚、上記実施例におけるサーボゲインやレーザパワーなどのパラメータの変更は一例を示したに過ぎず、これらに限定されないのは勿論である。
【００２８】
【発明の効果】
以上説明したように、本発明の情報再生方法及びその装置によれば、次のように優れた作用効果を発揮することができる。
読み取るべき情報を予め先読みしてそのエラー状態を判別し、本読み時にはこのエラー判別結果を参照して読み取りのパラメータを種々変更するようにしたので、データのエラーを低減することができるのみならず、効率的にエラー処理を行なうことができる。
また、上記エラー判別結果により、不要な場合には、リトライを行なわずに済むので、リトライ回数も削減でき、従って、全体的にデータ再生の信頼性を向上させることができる。
【図面の簡単な説明】
【図１】本発明の情報再生装置を示すブロック構成図である。
【図２】本発明装置が光ディスクから情報を読み取る時のトラッキング状態の一例を概念的に示す図である。
【図３】データ記憶手段の記憶量の変化を示す図である。
【図４】本発明方法のステップを総括的に示すフローチャートである。
【図５】光ディスクの一例であるＤＶＤ光ディスクのトラックとセクターの状態を概略的に示す図である。
【図６】情報を読み取る時のトラッキング状態の一例を示す図である。
【符号の説明】
２…ピックアップ手段、３…フォーカス・トラッキング制御手段、４…Ａ／Ｄ変換手段、６…エラー判別手段、７…エラー訂正手段、８…データ記憶手段、９…再生手段、１０…エラー状態記憶手段、１１…制御手段、Ｄ…光ディスク。
【図１】
0003814996.tif 000003
【図２】
0003814996.tif 000004
【図３】
0003814996.tif 000005
【図４】
0003814996.tif 000006
【図５】
0003814996.tif 000007
【図６】
0003814996.tif 000008